(57)【特許請求の範囲】
【請求項１】
取付面に取り付けるための取付部を備えた本体と、記録対象の温度を検出する温度検出手段、自らのＩＤコードを保有する記録側記憶手段、時計手段、外部との間でデータの授受を行う送受信手段、前記温度検出手段にて検出された温度データを時刻に対応させて記録する記録手段及び電源をケース内に収納し、このケース周囲の温度を記録する温度記録装置を保持する保持部を備えたホルダーとから構成され、
前記ホルダーは、前記保持部に前記温度記録装置を保持した状態で、当該温度記録装置に触れること無く、前記本体に着脱可能に取付可能とされ、且つ、全体として略「く」の字状に屈曲した形状を呈し、前記本体から外されて載置面に載置されたとき、当該載置面から離間した状態で温度記録装置を保持可能とされていることを特徴とする温度記録装置用保持部材。
【請求項２】
前記保持部は断熱性材料にて構成されていることを特徴とする請求項１の温度記録装置用保持部材。
【請求項３】
前記取付部により前記取付面に取り付けられた状態で、保持部の温度記録装置を前記取付面から離間して保持することを特徴とする請求項１又は請求項２の温度記録装置用保持部材。
【請求項４】
取付部を螺子孔にて構成したことを特徴とする請求項１、請求項２又は請求項３の温度記録装置用保持部材。
【請求項５】
取付部を磁石にて構成したことを特徴とする請求項１、請求項２又は請求項３の温度記録装置用保持部材。
【請求項６】
前記ホルダーには、温度記録装置に関する所定の情報を表示するための表示部を設けたことを特徴とする請求項１、請求項２、請求項３、請求項４又は請求項５の温度記録装置用保持部材。
【発明の詳細な説明】
【０００１】
【発明の属する技術分野】
本発明は、食品などの監視対象の温度を検出し、記録を行うための温度記録装置用の保持部材に関するものである。
【０００２】
【従来の技術】
近年の物流システムの進歩により、冷蔵、或いは、冷凍された食品の輸送が活発化しているが、これまでは輸送中の食品などの温度変化に関してまで注意が払われていなかったのが実状である。そのため、例えば冷凍車で冷凍食品を輸送している間に解凍されてしまい、その後、再び凍結された場合などには、事後にそれを把握することは困難であった。
【０００３】
また、近年調理食品による殺菌感染が問題とされており、調理から包装、冷蔵・冷凍までの一環した食品の温度管理も重要視されるに至っている。他方、宇宙食などの場合の如く、食品の温度管理は温度と時間が重要とされている（ＮＡＳＡで開発されたＨＡＣＣＰ（Ｈａｚａｒｄ  Ａｎａｌｙｓｉｓ  Ｃｒｉｔｉｃａｌ  Ｃｏｎ−ｔｒｏｌ  Ｐｏｉｎｔ）方式など）。
【０００４】
そこで、このような食品の輸送或いは保管、若しくは、調理時における経時的な温度変化の履歴を検出し、記録しておくための温度記録装置が提案されている。この温度記録装置は内蔵電池を電源とし、小型で長期的に温度を測定可能なものであるので、食品の容器内或いは梱包容器内などに収納して置くことにより、食品の輸送後、或いは、調理後などに取り出してデータを出力させることで、食品の温度変化の履歴を把握することができる。
【０００５】
【発明が解決しようとする課題】
ところで、このような温度記録装置が例えば金属製の小型ケース内に温度検出手段や記録手段、電源などを内蔵してケース周囲の温度を記録するものである場合、当該温度記録装置の取り扱いが問題となる。即ち、係る温度記録装置は小型であるために紛失する危険性が高い。また、小型であることにより、定点に固定して温度記録する際には取り付け難い問題があった。
【０００６】
更に、上述の如く食品の容器内或いは梱包容器内などに収納し、或いは、取り出す際には温度記録装置自体を指で持って取り扱うことになるため、体温により誤った温度データが記録されてしまう問題があった。
【０００７】
本発明は、係る従来の技術的課題を解決するために成されたものであり、温度記録装置の取り扱いを容易とし、支障無く温度記録を実行させることができる保持部材を提供するものである。
【０００８】
【課題を解決するための手段】
即ち、請求項１の発明の保持部材は、取付面に取り付けるための取付部を備えた本体と、記録対象の温度を検出する温度検出手段、自らのＩＤコードを保有する記録側記憶手段、時計手段、外部との間でデータの授受を行う送受信手段、温度検出手段にて検出された温度データを時刻に対応させて記録する記録手段及び電源をケース内に収納し、このケース周囲の温度を記録する温度記録装置を保持する保持部を備えたホルダーとから構成され、ホルダーは、保持部に温度記録装置を保持した状態で、当該温度記録装置に触れること無く、本体に着脱可能に取付可能とされ、且つ、全体として略「く」の字状に屈曲した形状を呈し、本体から外されて載置面に載置されたとき、当該載置面から離間した状態で温度記録装置を保持可能とされているものである。
【０００９】
請求項２の発明の保持部材は、前記発明に加えて保持部を断熱性材料にて構成していることを特徴とする。
【００１０】
請求項３の発明の保持部材は、上記各発明に加えて取付部により取付面に取り付けられた状態で、保持部の温度記録装置を取付面から離間して保持することを特徴とする。
【００１１】
請求項４の発明の保持部材は、上記各発明において取付部を螺子孔にて構成したことを特徴とする。
【００１２】
請求項５の発明の保持部材は、上記請求項１、請求項２又は請求項３において取付部を磁石にて構成したことを特徴とする。
【００１３】
請求項６の発明の保持部材は、上記各発明においてホルダーに、温度記録装置に関する所定の情報を表示するための表示部を設けたことを特徴とする。
【００１４】
本発明によれば、記録対象の温度を検出する温度検出手段、自らのＩＤコードを保有する記録側記憶手段、時計手段、外部との間でデータの授受を行う送受信手段、前記温度検出手段にて検出された温度データを時刻に対応させて記録する記録手段及び電源をケース内に収納し、このケース周囲の温度を記録する温度記録装置を、保持部材の保持部に保持することができるので、温度記録装置が小型ものものであってもその取り扱いが容易となる。
【００１５】
また、本発明によれば、保持部材を、取付面に取り付けるための取付部を備えた本体と、保持部を備えたホルダーとから構成し、保持部に温度記録装置を保持した状態で、当該温度記録装置に触れること無く、ホルダーを本体に着脱自在に取り付け可能としたので、温度記録装置に異常な温度データが記録される不都合を回避することが可能となる。例えば温度記録装置を定点に固定して温度記録を行う際などに、本体のみを取付面に取り付けて置き、温度記録装置はホルダーに保持した状態で、当該温度記録装置に触れること無くホルダーを本体に取り付け、或いは、本体から取り外すことが可能となり、温度記録装置の取り扱いがより一層容易且つ安全なものとなる。
【００１６】
特に、保持部材のホルダーは、全体として「く」の字状を呈し、本体から外されて載置面に載置されたとき、当該載置面から離間した状態で温度記録装置を保持可能とされているので、ホルダーを本体から取り外して載置面に載置した場合においても、載置面から直接温度記録装置に温度的な悪影響が及ぶ不都合が未然に回避することができる。
【００１７】
また、請求項２の発明によれば、上記に加えて保持部材は断熱性材料にて構成されているので、保持部材自体を伝達して温度記録装置に温度的な悪影響が及ぶ不都合を回避若しくは低減することが可能となる。これらにより、総じて本発明の保持部材を用いることにより、温度記録装置による正確な温度記録を達成することができるようになるものである。
【００１８】
更に、請求項３の発明によれば、上記各発明に加えて取付部により取付面に取り付けられた状態で、保持部の温度記録装置を取付面から離間して保持するようにしているので、例えば温度記録装置を定点に固定して温度データを測定する際などに、保持部材の取付部を用いて温度記録装置を容易に取付面に取り付けることが可能となる。特に、取り付けられた状態で温度記録装置は取付面から離間して保持されるので、取付面から直接温度記録装置に温度的な悪影響が及ぶ不都合が未然に回避され、温度記録装置はその周囲の温度を確実に記録することができるようになる。
【００１９】
そして、請求項４の発明によれば、上記各発明において取付部を螺子孔にて構成しているので、取付面への螺子止め固定が容易となると共に、請求項５の発明によれば、取付部を磁石にて構成しているので、取付面が磁性体である場合の固定作業が極めて容易となる。
【００２０】
また、請求項６の発明によれば、上記各発明に加えてホルダーには、温度記録装置に関する所定の情報を表示するための表示部を設けているので、この表示部に温度記録装置の用途や設置個所などを表示して置くことにより、温度記録装置の判別が極めて容易となるものである。
【００２１】
【発明の実施の形態】
以下、図面に基づき本発明の実施形態を詳述する。実施例では例えばコンビニエンスストアチェーンにおいて低温物品を低温配送車で配送する際に使用される温度記録システムを例に採って本発明を説明する。この場合、システムは主制御装置としてのパーソナルコンピュータ（以下、単にパソコンと称する）１と、温度記録装置としてのボタン型温度メモリ（以下、クールメモリと称する）３などから構築されている。
【００２２】
即ち、図１はパソコン１と読取側送受信手段となるボタンリーダ２の斜視図、図２はパソコン１の機能ブロック図、図３はクールメモリ３の斜視図、図４はクールメモリ３の機能ブロック図をそれぞれ示している。また、図２４は係るクールメモリ３を保持した状態の本発明の保持部材５１の斜視図を示している。図１において、パソコン１は本体に入力手段としてのキーボード４及びマウス９（図２）と、表示手段としてのＣＲＴディスプレイ６を備えて構成されている。
【００２３】
このパソコン１には信号線１７がコネクタにより接続されており、この信号線１７にはカプラにより前記ボタンリーダ２が接続されている。このボタンリーダ２には後述するクールメモリ３を着脱自在に挿入して接続する接続部としての収納部１１・・・が複数（実施例では四箇所）形成されている。そして、実施例のボタンリーダ２には一箇所をパソコン１の接続部として一度に三個のクールメモリ３を装着することができる。
【００２４】
次に、図２においてパソコン１は例えばコンビニエンスストアチェーンの配送本部に設置されたパーソナルコンピュータであり、主制御手段としてのＣＰＵ（マイクロコンピュータ）３１と、ＲＡＭなどから構成されるメモリ３２やハードディスク７（これはフラッシュメモリなどでも良い。また、これらメモリ３２やハードディスク７が何れも読取側記憶手段となる）と、Ｉ／Ｏインターフェース３３及び読取側送受信手段としてのバスＩ／Ｏインターフェース３４などから構成されている。そして、前記ＣＲＴディスプレイ６、キーボード４、マウス９はＩ／Ｏインターフェース３３に接続される。
【００２５】
バスＩ／Ｏインターフェース３４は信号線１７に接続されており、この信号線１７を介して前記ボタンリーダ２とデータの授受を行う。パソコン１のハードディスク７には前記ボタンリーダ２（実際には後述するクールメモリ３）とデータ通信を行うためのプロトコル及び当該データをＣＲＴディスプレイ６に表示するソフトウエア、警報確認のソフトウエアを含む読み取りプログラムや、それを識別するためのソフトウエアなどの制御プログラムなどが設定されている。
【００２６】
次に、図３、図４を参照してボタンリーダ２に取り付けられるクールメモリ３について説明する。クールメモリ３は図３に示す如く段差を有した薄型円柱状のボタン電池形状を呈した小型の金属製ケース３Ａを備え、このケース３Ａの底面部には外側に張り出した鍔部３Ｂが形成されている。そして、このケース３Ａ内部には記録側送受信手段となるインターフェース１３２、自らのＩＤコードを保持するＩＤ部（記録側記憶手段）１３３、メモリ制御部１３６、メモリ１３７、１３８、発信器１３９、時計制御部１４１およびそのレジスタ１４２、温度警報メモリ１４３、ヒストグラムメモリ１４４、温度履歴メモリ１４６（これらで記録手段が構築される）、電池（リチウム電池）１４７、計測制御部１４８及びセンサ部（温度検出手段）１４９が内蔵されている。
【００２７】
このクールメモリ３は、例えばコンビニエンスストアに配送される弁当や飲料などの冷蔵食品を収納したコンテナ（記録対象）内に投入され、当該コンテナ内の雰囲気（クールメモリ３の周囲の空気）の温度から実質的に食品の温度を検出して記録するために用いられる。この場合、計測制御部１４８はセンサ部１４９により所定のサンプリング周期（測定間隔）で上記食品温度（コンテナ内の温度）を計測する。この場合、計測制御部１４８はセンサ部１４９からのアナログデータをＡ／Ｄ変換して温度データとすることになる。そして、計測制御部１４８はこのように計測された温度データを、時計制御部１４１から送られる時刻データと共に三種類の形式で記録する。
【００２８】
即ち、計測制御部１４８は温度データを温度履歴メモリ１４６に書き込む。この温度履歴メモリ１４６内の温度データには、後述する如くパソコン１によりクールメモリ３からデータが読み出される際に、測定開始日時と測定間隔から演算されたタイムスタンプが付加される。また、計測制御部１４８は食品温度をゾーン分けし（例えば、０℃以下のゾーン、０℃〜＋５℃のゾーン、＋５℃〜＋１０℃のゾーン、＋１０℃〜＋１５℃のゾーン、＋２０℃以上のゾーンなど）、計測した温度データを各ゾーンに振り分けて計数化することにより、ヒストグラムを作成してヒストグラムメモリ１４４に書き込む。
【００２９】
この場合、例えば食品温度が０℃以下となったことが１回あれば０℃以下のゾーンを１とし、０℃〜＋５℃であったことが１００回あれば０℃〜＋５℃のゾーンを１００とし、＋５℃〜＋１０℃であったことが１００００回あれば＋５℃〜＋１０℃のゾーンを１００００とし、＋１０℃〜＋１５℃であったことが１０回あれば＋１０℃〜＋１５℃のゾーンを１０とし、＋２０℃以上となったことが１回あれば＋２０℃以上のゾーンを１とする。
【００３０】
また、温度警報メモリ１４３には、温度警報のデータが記録される。この場合、温度警報には後述する如く温度警報上限を越えた場合の高温警報と温度警報下限を下回った場合の低温警報とがあり、温度警報メモリ１４３には各警報が発生した日時と終了した日時が記録される。
【００３１】
そして、店舗に食品が配送された場合、クールメモリ３をコンテナから取り出してボタンリーダ２の収納部１１・・に挿入する。これによって、クールメモリ３は信号線１７に接続され、パソコン１との間でデータの送受信が可能となる。
【００３２】
ここで、クールメモリ３に内蔵されているＩＤ部１３３にはクールメモリ３自体のＩＤコードやクールメモリ３である旨の識別データが書き込まれ、メモリ１３８にはパソコン１との間でデータ通信を行うための通信プロトコルなどが記憶されている。また、例えばメモリ１３７には後述する各種設定データが書き込まれる。尚、メモリ１３８はユーザーが使用できるメモリであり、このメモリ１３８に上記各メモリ１４３、１４４、１４６内のデータをパソコン１に表示させるためのソフトウエアを予め書き込んでおいても良く、その場合にはパソコン１側の負担が軽減される。
【００３３】
次に、係るクールメモリ３の保持部材２４を図２４〜図３３を参照して説明する。保持部材２４は前述の如く小型のクールメモリ３の取り扱いを容易とするために用いるものであり、何れも例えば６６ナイロンなどの断熱性の硬質合成樹脂にて成形された本体５２とこの本体５２に着脱自在に取り付けられるホルダー５３とから構成されている。また、これら本体５２とホルダー５３は例えば赤色などの比較的目立つ色とされており、それによって位置確認を向上させ、紛失を回避できるようにしている。
【００３４】
図２４及び図２５は係る本体５２にホルダー５３を取り付けた状態の保持部材５１の斜視図及び縦断側面図をそれぞれ示している。また、また、図２７〜図２９はホルダー５３の正面図、側面図及び縦断側面図をそれぞれ示している。ホルダー５３は一端が湾曲した薄板状を呈しており、全体としては略「く」の字状に屈曲した形状とされている。そして、このホルダー５３の一端部には保持部としての円形の保持孔５４が形成されており、一端縁は裏面側が更に突出して薄い挿入部５６とされている。また、前記保持孔５４から所定距離離間した位置のホルダー５３他端縁には、係合部５７が形成されると共に、この係合部５７と保持孔５４の間の表面には、滑らかな表示部５８が形成されている。
【００３５】
この表示部５８には、例えばクールメモリ３の用途や設置個所、前記ＩＤコードなどの所定の情報を記載したシール（図示せず）を貼付することができる。また、前記保持孔５４の内径はクールメモリ３のケース３Ａが着脱可能に略キッチリと嵌合する寸法とされており、更に、この保持孔５４の内面はクールメモリ３が挿入されたときにケース３Ａの側面を締め付ける形状とされている。また、この保持孔５４の裏面側は更に拡開されて拡開部５４Ａとされており、ここにクールメモリ３の鍔部３Ｂが収納し、当接するように構成されている。
【００３６】
一方、図２６、図３０〜図３２は本体５２の裏面図、正面図、側面図及び縦断側面図をそれぞれ示している。本体５２は所定厚みを呈しており、その前面には前記ホルダー５３を収納するために当該ホルダー５３の形状に略合致した形状の収容部６１が形成されている。また、この収容部６１の一端縁には差込部６２が、他端縁には被係合部６３がそれぞれ形成され、収容部６１の一端部には取付部としての螺子孔６４が一旦凹陥した後、貫通形成されている。また、本体５２の他端部にも同じく取付部としての螺子孔６６が貫通形成されている。
【００３７】
更に、螺子孔６４と被係合部６３間の収容部６１両側には、外側に低く傾斜して凹所６７、６７が形成されている。更にまた、本体５２の裏面には矩形状の凹所６８が形成されている。この凹所６８内には取付部としての磁石ＭＧが収納貼付されている。
【００３８】
以上の構成で、例えば前記コンテナの内壁面（取付面）に先ず保持部材５１の本体５２を取り付けて置く。その際、コンテナが金属などの磁性体で構成されている場合には磁石ＭＧをコンテナの内壁面に吸着させて本体５２の裏面をコンテナ内壁面に固定する。また、コンテナが磁性体では無い場合、或いは、確実に固定したい場合などには、螺子孔６４、６６に図示しない螺子を挿通してコンテナの内壁面に螺合させ、本体５２をコンテナ内壁面に固定する。その際、螺子の頭は螺子孔６４の凹陥部分内に収納されるため、収容部６１より突出しない。
【００３９】
一方、クールメモリ３はホルダー５３の保持孔５４内に裏面から着脱可能に嵌め込む。このとき、前述の如くクールメモリ３の鍔部３Ｂは保持孔５４の段差部５４Ａにて当接し、底面はホルダー５３の裏面と略面一となる。また、クールメモリ３のケース３Ａは側面から締め付けられ、安定して保持孔５４内に保持されると共に、その状態で、クールメモリ３はその上面側がホルダー５３の表側に少なくとも半分以上突出する。
【００４０】
ここで、ホルダー５３は前述の如く「く」の字状を呈しているので、クールメモリ３を保持した状態で裏面を下にして載置すれば、クールメモリ３を載置面に接触させること無く、載置面から離間して保持することができる。従って、その状態で載置面の温度を直接クールメモリ３が検出することを防止できる。
【００４１】
そして、上記の如くクールメモリ３をホルダー５３に保持させた状態で、ホルダー５３の裏面を本体５２の収容部６１に対応させ、ホルダー５３の表示部５８の両縁部分を指で挟んで、先ず図３３中実線矢印で示す如く一端の挿入部５６を本体５２の差込部６２内に差し込む。次に、図３３中破線矢印で示す如くホルダー５３を本体５２に押し付け、他端の係合部５７を本体５２の被係合部６３に係合させる。このとき、ホルダー５３の両端は突っ張った状態となるので、ホルダー５３は本体５２の収容部６１内に安定的に、且つ、着脱自在に取り付けられる（図２４）。
【００４２】
また、クールメモリ３の裏側には本体５２の収容部６１が対応するかたちとなると共に、クールメモリ３の鍔部３Ｂは段差部５４Ａに当接するので、この状態でクールメモリ３は前後何れにも動けなくなり、脱落が確実に防止される。このように、保持部材５１のホルダー５３と本体５２を介してコンテナ内に取り付けられたクールメモリ３は前述の如くその周囲の温度を記録する動作を行う。
【００４３】
一方、図２４でホルダー５３を本体５２から取り外す際には、同じく表示部５８の両縁部分を指で挟んで持つ。このとき、本体５２の収容部６１の両側には凹所６７、６７が形成されているので、指をホルダー５３の裏側に引っかけ易くなる。そして、先ずホルダー５３の他端を本体５２から引き離して係合部５７を被係合部６３から外し、次に、挿入部５６を差込部６２から引き抜けば良い。これにより、クールメモリ３に触れることなく、ホルダー５３を本体５２に着脱することが可能とされている。尚、ホルダー５３を本体５２に取り付けたままでもクールメモリ３に触れること無く取り扱い可能であることは云うまでもない。
【００４４】
次に、パソコン１を用いたクールメモリ３からのデータの読み取り及びクールメモリ３へのデータの設定作業について説明する。先ず、クールメモリ３からのデータの読み取り作業の開始に当たって、パソコン１の制御プログラムを起動する。そして、ＣＲＴディスプレイ６に表示されたクールメモリ３を使用する図示しないアイコンをマウス９でクリックすると、ＣＰＵ３１はＣＲＴディスプレイ６に図５に示す状態表示画面を表示する。
【００４５】
次に、前述の如く保持部材５１の本体５２からホルダー５３を取り外してコンテナから取り出し、ホルダー５３にクールメモリ３を保持させたまま、ホルダー５３の他端部を持ってクールメモリ３の上面側をボタンリーダ２の収納部１１に挿入する。これによって、クールメモリ３に触れること無く、ボタンリーダ２にクールメモリ３を装着できる。
【００４６】
このとき、クールメモリ３・・は三個装着されたものとし、図５の状態表示画面の「検索」枠をマウス９でクリックすると、ＣＰＵ３１はボタンリーダ２に接続されたクールメモリ３・・をスキャン（検索）する。
【００４７】
このスキャン動作は各クールメモリ３・・のＩＤ部１３３に書き込まれたＩＤコードを読み出すことによって行われる。ＣＰＵ３１はスキャンして収集したＩＤコードにより、三個のクールメモリ３・・の接続状況を識別し、これらＩＤコードを一旦メモリ３２に保有すると共に、以後はこのＩＤコードを用いて各クールメモリ３・・との間でデータの送受信を行う。また、収集されたＩＤコードは図５の状態表示画面の「クールメモリの選択」欄にリストアップ表示される。
【００４８】
そして、この「クールメモリの選択」欄の下矢印ボタンをマウス９でクリックすれば、図６に示す如く検索された各クールメモリ３・・のＩＤコードが並べてウィンドウ表示されるので、このＩＤコードをクリックすることにより、データの読み取り、書き込みを行うクールメモリ３を選択できる。
【００４９】
このようにしてボタンリーダ２に接続された何れかのクールメモリ３を選択すると、ＣＰＵ３１は図５の表示画面の「稼動状態」枠に当該クールメモリ３の稼働状態を表示する。このとき、ＣＰＵ３１は選択されたクールメモリ３にポーリングを行い、当該クールメモリ３の動作に関する各種設定データの送信を要求する。
【００５０】
クールメモリ３のメモリ制御部１３６は、係るパソコン１からのポーリングに応えてメモリ１３７内に書き込まれている各種設定データや時計制御部１４１の時刻データをインターフェース１３２により信号線１７を介し、パソコン１に送信する。
【００５１】
パソコン１のＣＰＵ３１はクールメモリ３から送信されたデータを一旦メモリ３２に書き込んだ後、ＣＲＴディスプレイ６に表示された図５の状態表示画面の「稼動状態」枠に当該クールメモリ３の稼動状態を表示する。この場合、ＣＰＵ３１は「稼動状態」枠の「稼動状態」欄に現在クールメモリ３が稼動中か停止中かを表示する。
【００５２】
また、「残り待機時間」欄には温度測定を開始するまでの残り待機時間を表示すると共に、「測定開始時間」欄には温度の測定開始日時を表示する。また、「測定間隔」欄には温度測定の間隔（サンプリング周期）を表示すると共に、「測定データ数」欄には測定を開始してから現在までに測定したデータの総数を表示し、「保持データ数」欄には各メモリ１４６に保存されているデータの個数を表示する。
【００５３】
更に、「メモリ上書き」欄には、上記各メモリのデータ量が飽和した場合に新たなデータを上書きするか（或いは、しないか）の設定状態を表示する。即ち、上書き「する」と設定されると、データ量が満杯となった場合には古いデータは捨てていき、新しいデータを書き込んで行く動作となり、「しない」と設定されると、満杯となった時点でクールメモリ３は記録動作を停止することになる。そして、「メモリ上書き発生」欄には測定中に上記各メモリのデータの上書きが発生したか否か（有・無）を表示する。
【００５４】
更にまた、「温度警報上限」欄には温度警報の上限温度を表示すると共に、「温度警報下限」欄には温度警報の下限温度を表示する。そして、「現在の時間」欄にはクールメモリ３の時計制御部１４１が保持している時刻データ（日時と時刻）を表示すると共に、「トータル測定カウント」欄には現在までのトータルの温度測定回数を表示する。
【００５５】
ここで、クールメモリ３による温度測定において、最も電力を消費する作業は計測制御部１４８におけるＡ／Ｄ変換である。従って、このトータルの測定回数によって電池１４７の寿命を判断することができる。
【００５６】
即ち、電池１４７の寿命が測定可能回数に換算して例えば５０万回に規定されているものとすると（実際には更に多くの回数使用可能とされる）、このＣＲＴディスプレイ６の「トータル測定カウント」欄に表示されたトータルの測定回数がこの５０万回に近いか遠いかによって、後どの位当該クールメモリ３を使用できるかを判断することができる。
【００５７】
特に実施例でＣＰＵ３１は、トータルの測定回数が例えば４９万回を越えると、「トータル測定カウント」欄の数字を例えば黄色で表示すると共に、更に５０万回を越えた場合には、当該数字を例えば赤色でＣＲＴディスプレイ６に表示する。これによって、使用者はクールメモリ３の電池１４７の寿命を確実且つ的確に判断できるようになる。
【００５８】
ここで、例えば周囲温度＋５０℃以上の環境でクールメモリ３が使用されると、電池１４７の自己放電によって寿命が短くなる可能性が生じる。そこで、クールメモリ３の計測制御部１４８は、＋５０℃以上の温度の測定回数をメモリ１３８に書き込む。そして、ＣＰＵ３１はクールメモリ３のメモリ１３８に＋５０℃以上の温度の測定回数が一回でも書き込まれている場合には、「トータル測定カウント」欄の数字に隣接して例えば「！」を表示する。
【００５９】
これによって、使用者は規定の上記５０万回の測定回数分クールメモリ３が使用できない可能性が生じていることを的確に認識することができるようになる。尚、この表示記号に関しては他の記号でも良く、また、記号に限らず表示色で識別できるようにしても良い。また、「メモ」欄には後述する如く書き込まれた測定個所などの所定のメモ内容を表示する。
【００６０】
次に、図５の表示画面において「測定結果」枠をクリックすると、ＣＰＵ３１はＣＲＴディスプレイ６に図８の稼動結果表示画面をダイアログで表示する。このとき、ＣＰＵ３１は選択されたクールメモリ３にポーリングを行い、当該クールメモリ３が記録した温度データの送信を要求する。クールメモリ３のメモリ制御部１３６は、係るパソコン１からのポーリングに応えて温度警報メモリ１４３、ヒストグラムメモリ１４４、温度履歴メモリ１４６内のデータをインターフェース１３２により信号線１７を介し、パソコン１に送信する。
【００６１】
パソコン１のＣＰＵ３１はクールメモリ３から送信されたデータを一旦メモリ３２に書き込んだ後、ＣＲＴディスプレイ６に表示された図８の稼動結果表示画面に表示する。この場合、ＣＰＵ３１は温度履歴メモリ１４６内の温度データ（前述の如くタイムスタンプが付加されたデータ）を「温度データ」欄に数値で表示すると共に、ヒストグラムメモリ１４４内のヒストグラムデータを「温度分布」欄に数値で表示し、温度警報メモリ１４３内のデータも警報欄に表示（高温と低温の開始日時と終了日時で表示）する。
【００６２】
この状態で、「温度データ」欄の「グラフ」枠をマウス９でクリックすると、ＣＰＵ３１はＣＲＴディスプレイ６に図９に示す温度データグラフ表示画面を表示する。この画面では横軸が時刻（実施例では５月１１日５時１８分〜５月１５日５時１８分）、縦軸が温度（実施例では最高目盛３０℃、最低目盛０℃）のグラフで、記録された温度の推移（履歴）がラインＬ１で表示される。これにより、クールメモリ３が投入された搬送食品などの温度推移が把握できる。
【００６３】
また、ＣＰＵ３１はこのグラフ表示画面において、前記温度警報上限以上の高温警報領域の背景色を例えば赤、温度警報下限以下の低温警報領域の背景色を例えば青とする。それによって、温度推移の過程で温度警報上限・下限を越えた時間帯を簡単に識別可能となる。
【００６４】
次に、図９の表示画面の「縦軸変更」枠をクリックすると、ＣＰＵ３１は図１０の縦軸変更画面をＣＲＴディスプレイ６に表示する。この画面では図９の画面に加えて「縦軸変更：どこから」の表示が成される。この図１０の画面で例えば２１℃付近をマウス９でクリックすると、ＣＰＵ３１は図１１の画面をＣＲＴディスプレイ６に表示する。この図１１の画面ではグラフ上の２１℃のところに横ラインＬ２が表示されると共に、「縦軸変更：どこまで」の表示が成される。
【００６５】
次に、この図１１の画面で例えば１４度付近をクリックすると、ＣＰＵ３１は図１２の画面をＣＲＴディスプレイ６に表示する。この図１２の画面では縦軸の最高目盛が２１℃、最低目盛が１４℃として表示される。これにより、図９に表示されたグラフの１４℃〜２１℃の範囲が拡大されて表示されることになる。尚、図１２の画面表示の「初期描画に戻す」の枠をクリックすればＣＰＵ３１は画面表示を図９と同様の画面（図１３に示す）に戻す。
【００６６】
次に、この図１３の表示画面の「横軸変更」枠をクリックすると、ＣＰＵ３１は図１４の横軸変更画面をＣＲＴディスプレイ６に表示する。この画面では図１３の画面に加えて「横軸変更：どこから」の表示が成される。この図１４の画面で例えば５月１３日５時１８分の少許手前付近をマウス９でクリックすると、ＣＰＵ３１は図１５の画面をＣＲＴディスプレイ６に表示する。この図１５の画面ではグラフ上の５月１３日の手前付近に縦ラインＬ３が表示されると共に、「横軸変更：どこまで」の表示が成される。
【００６７】
次に、この図１５の画面で例えば５月１４日５時１８分の少許手前付近をクリックすると、ＣＰＵ３１は図１６の画面をＣＲＴディスプレイ６に表示する。この図１６の画面では横軸の左端が５月１２日４時３０分、右端が５月１４日４時３０分として表示される。これにより、図１３（図９と同様）に表示されたグラフの５月１２日４時３０分から５月１４日４時３０分の範囲が拡大されて表示されることになる。尚、図１６の画面表示の「初期描画に戻す」の枠をクリックすればＣＰＵ３１は画面表示を図９と同様の画面（図１３に示す）に戻す。
【００６８】
次に、図８の「温度分布」欄の「グラフ」枠をマウス９でクリックすると、ＣＰＵ３１はＣＲＴディスプレイ６に図１７に示す温度分布グラフ表示画面を表示する。この画面では横軸が温度（実施例では−４０℃〜＋７０℃）、縦軸が回数（実施例では０回〜２００回）の棒グラフで、記録されたヒストグラムが表示される。これにより、クールメモリ３が投入された搬送食品などの温度履歴をヒストグラムにて把握できる。
【００６９】
次に、図１７の表示画面の「縦軸変更」枠をクリックすると、ＣＰＵ３１は図１８の縦軸変更画面をＣＲＴディスプレイ６に表示する。この画面では図１７の画面に加えて「縦軸変更：最大値位置指定」の表示が成される。この図１８の画面で例えば１００回付近をクリックすると、ＣＰＵ３１は図１９の画面をＣＲＴディスプレイ６に表示する。この図１９の画面では縦軸の最大値が１００回（最小値は０回）として表示される。これにより、図１７に表示された棒グラフの０回〜１００回の範囲が拡大されて表示されることになる。尚、図１９の画面表示の「初期描画に戻す」の枠をクリックすればＣＰＵ３１は画面表示を図１７に戻す。
【００７０】
このように、時刻に対応させて記録された温度データをＣＲＴディスプレイ６に表示する際、グラフ表示の任意の範囲を指定して拡大表示できるので、モバイルパソコンの如くＣＲＴディスプレイ６が小さい場合でも、長期間記録された温度データのグラフ表示を容易に確認・分析することができるようになり、特に、低温食品の搬送中においては極めて利便性の大なるものとなる。特に、マウス９のクリックによって拡大する範囲の指定や、その他の入力操作を行うことができるようになるので、操作性が著しく向上する。
【００７１】
尚、前記図１２、図１６或いは図１９の表示画面においては、同様の操作で任意の範囲を指定することにより、ＣＰＵ３１は当該範囲を更に拡大表示する。即ち、係る拡大表示は再帰的に実行可能である。但し、「初期画面に戻す」の枠がマウス９でクリックされた場合には、一回で必ず図９、図１３或いは図１７の画面に復帰するものである。
【００７２】
次に、図５の表示画面において「設定」枠をマウス９でクリックすると、ＣＰＵ３１はＣＲＴディスプレイ６に図７のスタート設定画面を表示する。このとき、ＣＰＵ３１は前述の如く読み込んだクールメモリ３の時刻データを図７の「現在の時間」欄に表示する。これはクールメモリ３の時計制御部１４１の時刻である。また、「ＰＣの設定時間」欄にはパソコン１の時刻を表示する。
【００７３】
そして、図７の表示画面の「日付と時刻」の枠をクリックすると、クールメモリ３の時計制御部１４１の時刻をパソコン１の時刻に合わせる。ここで、クールメモリ３は温度変化の激しい環境に置かれるため、発振器１３９の周波数変動などにより、時刻データが狂ってくる場合がある。そこで、新たに温度記録を開始する際、図７の画面に表示された「現在の時間」と「ＰＣの設定時間」に食い違いが生じている場合には、「日付と時刻」の枠をマウス９でクリックすることにより、クールメモリ３の時刻をパソコン１の時刻に合わせることができる。
【００７４】
また、図７の表示画面の「測定開始日時」欄では、温度測定の開始日時を西暦何年、何月、何日、何時、何分の数値で設定できる。この測定開始日時が設定されると、ＣＰＵ３１は現在の時刻から測定開始までの待機時間をその下側に表示する。
【００７５】
更に、「測定間隔」欄では、温度測定の間隔を分単位で設定できる。この測定間隔が設定されると、ＣＰＵ３１は最大メモリ容量の右隣にクールメモリ３のメモリ１４６のデータ量が飽和するまでの測定期間を表示する。また、「メモリ上書き」欄には前述の如くメモリの上書きを実行するかしないかをクリック設定できる。尚、この「メモリ上書き」欄の右隣にも前記トータル測定カウント数が表示される。
【００７６】
また、「温度警報」欄では前述の高温警報を発する上限温度と低温警報を発する下限温度とを設定できる。更に、「メモ入力」欄をクリックすると、前述の如く測定個所などの所定のメモ内容を書き込むことができる。
【００７７】
そして、全ての設定項目を設定し終えたら、図７の表示画面の「設定終了」枠をクリックする。ＣＰＵ３１はこの「設定終了」枠がクリックされると、図７で設定された各種設定データをバスＩ／Ｏインターフェース３４により当該クールメモリ３のＩＤコードと共に信号線１７に送信する。
【００７８】
クールメモリ３はインターフェース１３２により自らのＩＤコードを付された各種設定データを受信すると、メモリ制御部１３６によってこれをメモリ１３７に書き込む。以後はこの各種設定データに従ってクールメモリ３は動作することになる。
【００７９】
ここで、この種コンビニエンスストアチェーンなどにおける低温物品の配送の際には、測定開始日時や測定間隔などの同一の設定データを複数のクールメモリ３・・に設定する必要が生じる。係る場合には、図７の表示画面において「一括設定」枠をマウス９でクリックする。ＣＰＵ３１はこの「一括設定」枠がクリックされると、その上方の画面で設定された各種設定データを、予め検索されている全てのクールメモリ３・・（ここでは三個）に送信する。
【００８０】
この場合、ＣＰＵ３１は各クールメモリ３・・のＩＤコードを順次付して各種設定データを各クールメモリ３・・宛送信して行く。これにより、複数のクールメモリ３・・に対して同一の設定を一括して行うことができるようになるので、設定作業性が著しく改善される。
【００８１】
また、このような低温物品の配送においては、例えば朝・昼・晩の配送時間や配送距離、常温・冷凍・冷蔵の保存温度によって設定内容がパターン化する場合が多い。係る場合には、図７のスタート設定画面で各種項目を上述の如くパターン化して設定した後、「記憶」枠をマウス９でクリックする。ＣＰＵ３１はこの「記憶」枠がクリックされた場合、設定内容をファイル形式でハードディスク７に書き込む。このときファイル名も付して記憶する。
【００８２】
そして、図７の表示画面の「参照」枠がクリックされると、ＣＰＵ３１は前述の如くハードディスク７に書き込まれた設定内容ファイル名をＣＲＴディスプレイ６にウィンドウ表示するので、設定したいファイル名を選択すれば、図７の表示画面には予め記憶された各種設定内容が表示される。この状態で「一括設定」枠、若しくは、「設定完了」枠をクリックすることにより、ＣＰＵ３１により予め記憶された設定内容が前述同様に各クールメモリ３に送信されることになる。これにより、クールメモリ３の設定作業性は尚一層向上する。
【００８３】
次に、図５の表示画面において「ファイル」枠をマウスでクリックすると、ＣＰＵ３１は図２０に示す如く「ファイル出力」枠を表示する。そして、この「ファイル出力」枠をクリックすると、ＣＰＵ３１はＣＲＴディスプレイ６に図２１のファイル名を付けて保存画面を表示する。この画面でファイル場所とファイル名を入力し、「保存」枠をクリックすれば、ＣＰＵ３１は選択されたクールメモリ３から読み取られた温度データや警報のデータをハードディスク７にファイル形式で保存する。
【００８４】
ここで、パソコン１の前記警報確認のソフトウエアを起動すると、ＣＰＵ３１はＣＲＴディスプレイ６に図２２の警報確認ダイアログ「クールメモリをセットしてください。」を表示する。この状態でボタンリーダ２の収納部１１にクールメモリ３を一つ収納接続すると、ＣＰＵ３１は自動的に当該クールメモリ３にポーリングを行い、当該クールメモリ３の温度警報メモリ１４３内のデータの送信を要求する。
【００８５】
クールメモリ３のメモリ制御部１３６は、係るパソコン１からのポーリングに応えて温度警報メモリ１４３内のデータをインターフェース１３２により信号線１７を介し、パソコン１に送信する。パソコン１のＣＰＵ３１はクールメモリ３から送信されたデータ中に高温或いは低温の温度警報のデータが一つでも存在する場合、即ち、当該クールメモリ３において温度データが一回でも上限温度を越え、或いは、下限温度を下回った経歴がある場合、ＣＲＴディスプレイ６の警報確認ダイアログに図２３に示す如く当該クールメモリ３のＩＤコード（ＩＤ番号）及びメモと共に「異常」の表示を行う。
【００８６】
また、温度警報メモリ１４３内に温度警報のデータが存在しない場合には、ＣＰＵ３１は警報確認ダイアログに「正常」の表示を行う。これにより、使用者は当該クールメモリ３において温度警報が生じていることを簡単且つ迅速に確認することが可能となる。そして、詳しい稼動結果は稼動結果表示画面にて確認すれば良い。
【００８７】
尚、例えば低温配送車の運転開始直後などのプルダウン中や、低温配送車に積み込んでいる最中などの期間には、クールメモリ３の周囲も一時的ではあるが比較的高い温度（例えば常温）となる。係る場合にもクールメモリ３内の温度警報メモリ１４３には温度警報のデータが書き込まれることになるが、上記の如き警報確認作業において、係る状況における警報を発することは却って混乱を来すことになる。
【００８８】
そこで、図７のスタート設定の表示画面において、「警報遅延」欄に分単位で時間を設定することにより、測定開始から、及び、異常発生からの警報遅延時間を設定することができる。即ち、この「警報遅延」欄にて例えば１０分（１分〜１０分の範囲で設定可能）の遅延時間が設定されると、この設定値はパソコン１のメモリ３２若しくはハードディスク７に記憶される。そして、パソコン１はクールメモリ３からのデータを読み出した場合、クールメモリ３の温度警報メモリ１４３に温度警報のデータが書き込まれている場合にも、当該データが例えば上限温度を越え、若しくは、下限温度を下回り、係る状態の開始から１０分以内に正常範囲（上限温度より低く、下限温度より高い温度範囲）内に復帰したものである場合には、ＣＰＵ３１は当該警報のデータを無視する。
【００８９】
これにより、前述の如きプルダウン中や積み込み途中における温度異常や一時的な温度異常が警報確認作業において発報されることを未然に阻止することができるようになる。
【００９０】
尚、本発明では保持部材５１を用いてクールメモリ３に触れることなく、温度記録と読み取りを可能としているが、それに加えて、或いは、それに代えて、測定開始と終了時刻を適宜設定することにより、クールメモリ３の記録対象に投入する際及びボタンリーダ２に装着する際の温度記録を無効とすることも可能であることは云うまでもない。保持部材５１を用いることに加えて係る設定を行えば、クールメモリ３が異常なデータを測定する不都合をより確実に回避することができるようになる。
【００９１】
【発明の効果】
以上詳述した如く本発明によれば、記録対象の温度を検出する温度検出手段、自らのＩＤコードを保有する記録側記憶手段、時計手段、外部との間でデータの授受を行う送受信手段、前記温度検出手段にて検出された温度データを時刻に対応させて記録する記録手段及び電源をケース内に収納し、このケース周囲の温度を記録する温度記録装置を、保持部材の保持部に保持することができるので、温度記録装置が小型ものものであってもその取り扱いが容易となる。
【００９２】
また、本発明によれば、保持部材を、取付面に取り付けるための取付部を備えた本体と、保持部を備えたホルダーとから構成し、保持部に温度記録装置を保持した状態で、当該温度記録装置に触れること無く、ホルダーを本体に着脱自在に取り付け可能としたので、温度記録装置に異常な温度データが記録される不都合を回避することが可能となる。例えば温度記録装置を定点に固定して温度記録を行う際などに、本体のみを取付面に取り付けて置き、温度記録装置はホルダーに保持した状態で、当該温度記録装置に触れること無くホルダーを本体に取り付け、或いは、本体から取り外すことが可能となり、温度記録装置の取り扱いがより一層容易且つ安全なものとなる。
【００９３】
特に、保持部材のホルダーは、全体として「く」の字状を呈し、本体から外されて載置面に載置されたとき、当該載置面から離間した状態で温度記録装置を保持可能とされているので、ホルダーを本体から取り外して載置面に載置した場合においても、載置面から直接温度記録装置に温度的な悪影響が及ぶ不都合が未然に回避することができる。
【００９４】
また、請求項２の発明によれば、上記に加えて保持部材は断熱性材料にて構成されているので、保持部材自体を伝達して温度記録装置に温度的な悪影響が及ぶ不都合を回避若しくは低減することが可能となる。これらにより、総じて本発明の保持部材を用いることにより、温度記録装置による正確な温度記録を達成することができるようになるものである。
【００９５】
更に、請求項３の発明によれば、上記各発明に加えて取付部により取付面に取り付けられた状態で、保持部の温度記録装置を取付面から離間して保持するようにしているので、例えば温度記録装置を定点に固定して温度データを測定する際などに、保持部材の取付部を用いて温度記録装置を容易に取付面に取り付けることが可能となる。特に、取り付けられた状態で温度記録装置は取付面から離間して保持されるので、取付面から直接温度記録装置に温度的な悪影響が及ぶ不都合が未然に回避され、温度記録装置はその周囲の温度を確実に記録することができるようになる。
【００９６】
そして、請求項４の発明によれば、上記各発明において取付部を螺子孔にて構成しているので、取付面への螺子止め固定が容易となると共に、請求項５の発明によれば、取付部を磁石にて構成しているので、取付面が磁性体である場合の固定作業が極めて容易となる。
【００９７】
また、請求項６の発明によれば、上記各発明に加えてホルダーには、温度記録装置に関する所定の情報を表示するための表示部を設けているので、この表示部に温度記録装置の用途や設置個所などを表示して置くことにより、温度記録装置の判別が極めて容易となるものである。
【図面の簡単な説明】
【図１】  本発明を適用する実施例の温度記録システムを構成するパソコンとボタンリーダの斜視図である。
【図２】  パソコンの電気回路のブロック図である。
【図３】  温度記録装置としてのクールメモリの斜視図である。
【図４】  クールメモリの電気回路のブロック図である。
【図５】  パソコンのＣＲＴディスプレイに表示された状態表示画面を示す図である。
【図６】  パソコンのＣＲＴディスプレイに表示された状態表示画面を示すもう一つの図である。
【図７】  パソコンのＣＲＴディスプレイに表示されたスタート設定画面を示す図である。
【図８】  パソコンのＣＲＴディスプレイに表示された稼動結果表示画面を示す図である。
【図９】  パソコンのＣＲＴディスプレイに表示された温度データグラフ表示画面を示す図である。
【図１０】  同じくパソコンのＣＲＴディスプレイに表示された温度データグラフ表示画面を示す図である。
【図１１】  同じくパソコンのＣＲＴディスプレイに表示された温度データグラフ表示画面を示す図である。
【図１２】  同じくパソコンのＣＲＴディスプレイに表示された温度データグラフ表示画面を示す図である。
【図１３】  同じくパソコンのＣＲＴディスプレイに表示された温度データグラフ表示画面を示す図である。
【図１４】  同じくパソコンのＣＲＴディスプレイに表示された温度データグラフ表示画面を示す図である。
【図１５】  同じくパソコンのＣＲＴディスプレイに表示された温度データグラフ表示画面を示す図である。
【図１６】  同じくパソコンのＣＲＴディスプレイに表示された温度データグラフ表示画面を示す図である。
【図１７】  パソコンのＣＲＴディスプレイに表示された温度分布グラフ表示画面を示す図である。
【図１８】  同じくパソコンのＣＲＴディスプレイに表示された温度分布グラフ表示画面を示す図である。
【図１９】  同じくパソコンのＣＲＴディスプレイに表示された温度分布グラフ表示画面を示す図である。
【図２０】  パソコンのＣＲＴディスプレイに表示された状態表示画面を示す更にもう一つの図である。
【図２１】  パソコンのＣＲＴディスプレイに表示された温度データ保存表示画面を示す図である。
【図２２】  パソコンのＣＲＴディスプレイに表示された警報確認画面を示す図である。
【図２３】  パソコンのＣＲＴディスプレイに表示された警報確認画面を示すもう一つの図である。
【図２４】  クールメモリを保持した状態の本発明の保持部材の斜視図である。
【図２５】  クールメモリを保持した状態の保持部材の縦断側面図である。
【図２６】  保持部材の本体の裏面図である。
【図２７】  保持部材のホルダーの正面図である。
【図２８】  ホルダーの側面図である。
【図２９】  ホルダーの縦断側面図である。
【図３０】  保持部材の本体の正面図である。
【図３１】  本体の側面図である。
【図３２】  本体の縦断側面図である。
【図３３】  ホルダーを本体に取り付ける手順を説明する保持部材の分解斜視図である。
【符号の説明】
１  パソコン
２  ボタンリーダ
３  クールメモリ（温度記録装置）
４  キーボード
６  ＣＲＴディスプレイ
７  ハードディスク
９  マウス
１１  収納部
１７  信号線
３１  ＣＰＵ
３２  メモリ
３４  バスＩ／Ｏインターフェース
５１  保持部材
５２  本体
５３  ホルダー
５４  保持孔（保持部）
５６  挿入部
５７  係合部
５８  表示部
６２  差込部
６３  被係合部
６４、６６  螺子孔
１３２  インターフェース（記録側送受信手段）
１３６  メモリ制御部
１３９  発振器
１４１  時計制御部
１４３  温度警報メモリ
１４４  ヒストグラムメモリ
１４６  温度履歴メモリ
１４９  センサ部（温度検出手段）
ＭＧ  磁石
【図１】
0004488571.tif 000002
【図２】
0004488571.tif 000003
【図３】
0004488571.tif 000004
【図４】
0004488571.tif 000005
【図５】
0004488571.tif 000006
【図６】
0004488571.tif 000007
【図７】
0004488571.tif 000008
【図８】
0004488571.tif 000009
【図９】
0004488571.tif 000010
【図１０】
0004488571.tif 000011
【図１１】
0004488571.tif 000012
【図１２】
0004488571.tif 000013
【図１３】
0004488571.tif 000014
【図１４】
0004488571.tif 000015
【図１５】
0004488571.tif 000016
【図１６】
0004488571.tif 000017
【図１７】
0004488571.tif 000018
【図１８】
0004488571.tif 000019
【図１９】
0004488571.tif 000020
【図２０】
0004488571.tif 000021
【図２１】
0004488571.tif 000022
【図２２】
0004488571.tif 000023
【図２３】
0004488571.tif 000024
【図２４】
0004488571.tif 000025
【図２５】
0004488571.tif 000026
【図２６】
0004488571.tif 000027
【図２７】
0004488571.tif 000028
【図２８】
0004488571.tif 000029
【図２９】
0004488571.tif 000030
【図３０】
0004488571.tif 000031
【図３１】
0004488571.tif 000032
【図３２】
0004488571.tif 000033
【図３３】
0004488571.tif 000034